(57)【要約】  小型の接続端子であっても、大きな係止力により固定し得る電気コネクタを得る。  接続端子１１を取り付けた最上層の端子ホルダ２１をハウジング３１内に底部側から最上位まで押し込むと、ハウジング３１の掛止片３３が端子ホルダ２１の切込部２７に入り込み、端子ホルダ２１の各接続端子１１の被掛止部１７を共通に固定して、接続端子１１の強力な後抜け防止が可能となる。続いて、接続端子１１を装着した端子ホルダ２１を、順次にハウジング３１の上方に押し込み積層してゆき、上層の端子ホルダ２１の掛止片２８が下層の端子ホルダ２１の切込部２７に入り込み、被掛止部１７を共通に固定する。ハウジング３１内に全ての端子ホルダ２１が挿着した後に、ハウジング３１に底部カバー４１を取り付ける。
2009148027.tif 000002
【特許請求の範囲】
【請求項１】
接続端子を個々に収容した複数の端子収容部を有する複数の端子ホルダを上下方向に積層して成り、前記端子ホルダの底部に、下層の前記端子ホルダに収容した前記接続端子の一部の後縁を掛止する掛止片を下方に向けて設け、これらの端子ホルダをハウジングにより保持することを特徴とする電気コネクタ。
【請求項２】
前記掛止片は下層の端子ホルダの一部に係止し、前記端子ホルダ同士の前後の移動を防止することを特徴とする請求項１に記載の電気コネクタ。
【請求項３】
前記掛止片は下層の前記端子ホルダに収納した複数の接続端子を共通して掛止するように、前記端子ホルダの前記端子収容部と直交する横手方向に設けた条片状の突起としたことを特徴とする請求項１に記載の電気コネクタ。
【請求項４】
最上層の前記端子ホルダに収納した接続端子に対する掛止は、前記ハウジングの天井部の内側に設け、前記端子ホルダに設けた前記掛止片と同形の掛止片により掛止することを特徴とする請求項１〜３の何れか１つの請求項に記載の電気コネクタ。
【請求項５】
前記接続端子に設けた孔部に、前記端子ホルダに形成した可撓性を有する係止ランスを係止したことを特徴とする請求項１〜４の何れか１つの請求項に記載の電気コネクタ。
【請求項６】
前記端子ホルダの底部に、下層の前記端子ホルダの上部に結合する連結用突部を形成し、複数個の端子ホルダを上下に積層した連結体をハウジングにより保持するようにしたことを特徴とする請求項１に記載の電気コネクタ。
【請求項７】
前記端子ホルダの前記端子収容部は仕切壁により区画し、前記仕切壁に前記掛止片が上方から入り込むための切込部を設けたことを特徴とする請求項１〜６の何れか１つの請求項に記載の電気コネクタ。
【請求項８】
前記端子ホルダの少なくとも一方の側板に上下方向を向く複数個の係合端部を形成し、これらの係合端部の上端及び下端を前記端子ホルダの積層位置に対応して切り取り、上下の前記端子ホルダ同士を組み合わせることを特徴とする請求項１〜７に記載の電気コネクタ。
【請求項９】
前記係合端部の残置する上端及び下端は、対応する前記端子ホルダの係合端部の切り取った下端及び上端に嵌合することを特徴とする請求項８に記載の電気コネクタ。
【請求項１０】
前記端子ホルダは前記ハウジングの底部側から前記ハウジング内に挿入し、前記ハウジングの底部を底部カバーにより閉止することを特徴とする請求項１〜９の何れか１つの請求項に記載の電気コネクタ。
【発明の詳細な説明】
【技術分野】
【０００１】
本発明は、小型の接続端子を収容するための電気コネクタに関するものである。
【背景技術】
【０００２】
例えば、自動車等の電気回路の接続に用いられる接続端子は、益々小型化されつつあり、特に信号を伝送するため信号用電線、接続端子、電気コネクタに対して要求されている。また、信号系の電気配線は複数の回路基板が組み込まれている電気接続箱に集約するようにワイヤハーネスが設計されるので、小型化を満足するために電気接続箱には、多数の接続端子が狭ピッチで形成されている。【０００３】
そして一般に、電気コネクタに収納した接続端子の後方抜けを防止するには、電気コネクタ内に設けられた可撓性の係止ランスに依存している。
【先行技術文献】
【特許文献】
【０００４】
【特許文献１】特開２００４−３９５３５号公報
【発明の概要】
【発明が解決しようとする課題】
【０００５】
しかし、接続端子が小型化されると、射出成型によりハウジング内に係止ランスを成型することが困難となり、形成してもその係止力は弱いものである。【０００６】
この問題を解決するために、図４３に示すようにハウジングの後部にリアホルダ１を取り付けるようにし、このリアホルダ１に係止ランス２を付設することが例えば特許文献１に開示されている。【０００７】
しかし、このような構成によっても、なお例えば並列した場合のピッチ間１．６ｍｍ程度の小型の接続端子に対する係止ランスの成型は困難であり、係止力は十分ではない。つまり、接続端子が極度に小型化されると、射出成型によりハウジング内に係止ランスを成型することが困難となり、成型してもその大きさが小さくなるためにその係止力は弱い。【０００８】
また、複数個の端子ホルダを例えば積層して電気コネクタを組み立てる場合に、端子ホルダを誤った順序で積層してしまう虞れが十分にある。【０００９】
本発明の目的は、上述の課題を解消し、小型の接続端子であっても大きな係止力により接続端子を固定し得る電気コネクタを提供することにある。【００１０】
本発明の他の目的は、小型の接続端子であっても、大きな係止力により接続端子を固定し得ると共に、組立ミスが発生し難い電気コネクタを提供することにある。
【課題を解決するための手段】
【００１１】
上述の目的を達成するための本発明に係る電気コネクタは、接続端子を個々に収容した複数の端子収容部を有する複数の端子ホルダを上下方向に積層して成り、前記端子ホルダの底部に、下層の前記端子ホルダに収容した前記接続端子の一部の後縁を掛止する掛止片を下方に向けて設け、これらの端子ホルダをハウジングにより保持することを特徴とする。
【発明の効果】
【００１２】
本発明に係る電気コネクタによれば、端子ホルダに設けた係止ランスにより接続端子を係止し、更に上層の端子ホルダの掛止片により下層の端子ホルダに収納した接続端子を掛止することにより、接続端子の寸法がより小型化した場合においても、大きな端子係止力を確保できる。【００１３】
本発明に係る電気コネクタによれば、上述の効果に加え、端子ホルダに係合端部を設けることにより、組立てミスが少なくなる。
【図面の簡単な説明】
【００１４】
【図１】接続端子の平面図である。
【図２】接続端子の一部を切欠した縦断面図である。
【図３】図２のＡ−Ａ線に沿った横断面図である。
【図４】実施例１の端子ホルダの平面図である。
【図５】正面図である。
【図６】背面図である。
【図７】側面図である。
【図８】底面図である。
【図９】図５のＢ−Ｂ線に沿った断面図である。
【図１０】図５のＣ−Ｃ線に沿った断面図である。
【図１１】ハウジングの平面図である。
【図１２】正面図である。
【図１３】背面図である。
【図１４】側面図である。
【図１５】底面図である。
【図１６】図１２のＤ−Ｄ線に沿った断面図である。
【図１７】底部カバーの平面図である。
【図１８】正面図である。
【図１９】側面図である。
【図２０】図１８のＥ−Ｅ線に沿った断面図である。
【図２１】接続端子を収納した端子ホルダの断面図である。
【図２２】端子ホルダを装着したハウジングの断面図である。
【図２３】実施例２の端子ホルダの上方から見た斜視図である。
【図２４】端子ホルダの下方から見た斜視図である。
【図２５】端子ホルダの縦断面図である。
【図２６】接続端子を端子ホルダに装着した状態の断面図である。
【図２７】複数の端子ホルダを積層して連結した状態の断面図である。
【図２８】端子ホルダを装着したハウジングの断面図である。
【図２９】実施例３の端子ホルダの斜視図である。
【図３０】端子ホルダの平面図である。
【図３１】端子ホルダの正面図である。
【図３２】図３０のＥ−Ｅ線に沿った端子ホルダの縦断面図である。
【図３３】ハウジングの斜視図である。
【図３４】ハウジングの斜視図である。
【図３５】端子ホルダに接続端子を装着した状態の断面図である。
【図３６】端子ホルダ同士の積層の説明図である。
【図３７】端子ホルダ同士を積層した状態の斜視図である。
【図３８】端子ホルダ同士を積層した状態の断面図である。
【図３９】端子ホルダの連結体をハウジングに装着した状態の斜視図である。
【図４０】ハウジングに底部カバーを装着する過程の斜視図である。
【図４１】ハウジングに底部カバーを取り付けた状態の斜視図である。
【図４２】断面図である。
【図４３】従来例の斜視図である。
【発明を実施するための形態】
【実施例１】
【００１５】
図１は使用する接続端子の平面図、図２は一部を切欠した縦断面図、図３は図２のＡ−Ａ線に沿った横断面図である。導電金属板を打ち抜き屈曲して成る雌型の接続端子１１の前部には、角筒状の接続部１２が設けられ、中間部１３を経た後部に圧着部１４によって電線１５が接続されている。また、接続部１２の天井部には前方止めを兼ねたスタビライザ１６が設けられ、天井部の後縁は後述する掛止片が掛止する被掛止部１７とされ、底部には後述する係止ランスを挿入するための孔部１８が形成されている。【００１６】
図４は接続端子を装着するための合成樹脂から成る端子ホルダ２１の平面図、図５は正面図、図６は背面図、図７は側面図、図８は底面図、図９は図５のＢ−Ｂ線に沿った断面図、図１０は図５のＣ−Ｃ線に沿った断面図である。端子ホルダ２１は接続端子１１を装着した状態で、上下方向に例えば７個の端子ホルダ２１が積層可能とされている。端子ホルダ２１の上部には、長手方向にそれぞれ接続端子１１を個々に収容する例えば１２個の端子収容部２２が並列して設けられ、端子収容部２２の前部には接続端子１１の接続部１２をほぼ収納する角枠状の枠体部２３が設けられている。【００１７】
端子ホルダ２１の後方は上部が開放されており、端子収容部２２同士を区画し、接続端子１１同士の接触を防止する仕切壁２４が長手方向に形成されている。枠体部２３の前部には相手側接続端子を前方から個々に受け入れるための開口部２５が設けられ、端子収容部２２の底部には、接続端子１１の底部の孔部１８に挿入して接続端子１１を係止するための可撓性を有する係止ランス２６が設けられている。係止ランス２６の上側には、後方に傾斜面を有し前方に垂直壁を持つ爪部が形成されている。【００１８】
また、仕切壁２４には枠体部２３との境界部に切込部２７が設けられ、端子ホルダ２１の底部下面に、端子収容部２２と直交する横手方向に条片状の突起から成る掛止片２８が下方に向けて形成されている。この掛止片２８は下層に位置する端子ホルダ２１の切込部２７内に入り込み、複数の接続端子１１の被掛止部１７を共通して掛止するようになっている。また、掛止片２８の後方には、各端子収容部２２内に入り込む補強用のリブ２９が設けられている。【００１９】
図１１はハウジング３１の平面図、図１２は正面図、図１３は背面図、図１４は側面図、図１５は底面図、図１６は図１２のＤ−Ｄ線に沿った断面図である。ハウジング３１は上面、正面、側面が壁部とされ、背面、底面は開放されている。ハウジング３１の正面には多数の開口部３２が設けられており、この開口部３２の横方向の数は１個の端子ホルダ２１に設けた開口部２５の数と一致しており、上下方向の数は積層された端子ホルダ２１の積層数と一致している。【００２０】
ハウジング３１の天井部の内側には、各端子ホルダ２１に設けられた掛止片２８と同形の掛止片３３が形成されている。また、ハウジング３１の背面の開放部の上下方向の両側には端子ホルダ２１の後部を係止する辺部３４が設けられ、下部両側面に外側に向けて開放する凹部から成り後述する底部カバーに対する被係止部３５が設けられている。更にハウジング３１の上部には可撓レバー３６が設けられ、この可撓レバー３６には相手側のハウジングと錠止するための錠止部３７が設けられ、更に押圧部３８により錠止部３７を作動できるようにされている。【００２１】
図１７は底部カバー４１の平面図、図１８は正面図、図１９は側面図、図２０は図１８のＥ−Ｅ線に沿った断面図である。この底部カバー４１はハウジング３１に複数個の全ての端子ホルダ２１を装着した後に、ハウジング３１の底部を覆って閉止する部材であり、底部カバー４１の側壁には内側に向けて突出する係止部４２により、ハウジング３１の被係止部３５に係止できるようになっている。また、最下層の端子ホルダ２１の掛止片２８が入り込む孔部４３が設けられている。【００２２】
端子ホルダ２１に接続端子１１を装着するには、図２１に示すように接続端子１１を端子ホルダ２１の端子収容部２２に後方から挿入する。接続端子１１の接続部１２を枠体部２３内に挿入すると、接続端子１１の底部が係止ランス２６を押し下げながら乗り越えて進み、その後に係止ランス２６は復元して孔部１８内に入り込み、接続端子１１は端子ホルダ２１に仮り止めされる。このとき、スタビライザ１６の先端は端子ホルダ２１の開口部２５の周囲の縁部により係止し、接続端子１１は端子ホルダ２１に対する前方への移動が防止され、また係止ランス２６により後方への移動が防止される。そして、開口部２５は接続部１２の中心軸線と一致している。【００２３】
このようにして、端子ホルダ２１の各端子収容部２２に接続端子１１をそれぞれ装着し、先ず最上層の端子ホルダ２１をハウジング３１内に底部側から最上位まで押し込むと、端子ホルダ２１の前部はハウジング３１の前壁に、後部はハウジング３１の辺部３４に係止して前後の移動が防止される。また、ハウジング３１の掛止片３３が端子ホルダ２１の切込部２７に入り込み、各接続端子１１の被掛止部１７を共通に掛止して、係止ランス２６の係止とあいまって、接続端子１１の強力な後抜け防止が可能となる。なお、掛止片３３は端子ホルダ２１の切込部２７に対しても作用し、端子ホルダ２１の後方へのずれをも防止できる。【００２４】
続いて、接続端子１１を装着した端子ホルダ２１を、順次にハウジング３１の上方に押し込み積層してゆく。この過程で、端子ホルダ２１はハウジング３１に対して前後の移動が防止されると共に、上層の端子ホルダ２１の掛止片２８が下層の端子ホルダ２１の切込部２７に入り込み、ハウジング３１内に全ての端子ホルダ２１が挿着されて保持される。これにより、掛止片２８により順次に下層の接続端子１１及び端子ホルダ２１の後方への移動が防止される。【００２５】
その後に、ハウジング３１にその前方から底部カバー４１を摺動して取り付け、係止部４２がハウジング３１の被係止部３５に係止することによりハウジング３１の底部を閉止し、底部カバー４１がハウジング３１から外れないように錠止する。これにより、図２２に示すように電気コネクタが完成する。なお、底部カバー４１はハウジング３１に対して別体でなくとも、ハウジング３１と一体にしてヒンジにより連結するようにしてもよい。【００２６】
特に、この電気コネクタでは、端子ホルダ２１はハウジング３１によって前後及び上下に固定されているので、端子ホルダ２１を積層する方向と直交する方向に電線１５の引張力が作用しても積層状態、端子係止状態は十分に維持される。【００２７】
この状態において、ハウジング３１の各開口部３２の内側には、端子ホルダ２１の開口部２５が位置し、ハウジング３１の外部から相手側の接続端子の挿込端による接続端子１１の接続部１２への挿し込みが可能となる。【００２８】
この電気コネクタでは、相手側電気コネクタとハウジング同士が結合して、接続端子同士の接合により電気接続器としての機能が発揮される。この結合に際しては、ハウジング３１の錠止部３７により相手側電気コネクタのハウジングと錠止がなされる。相手側電気コネクタとの結合を解除するには、ハウジング３１の押圧部３８を押し込み、錠止部３７を相手側のハウジングの錠止部から外せばよい。【００２９】
なお実施例においては、掛止片２８、３３を条片状とし、複数の接続端子１１に対して共通して用いたが、各端子収容部２２ごとに形成してもよい。また、最下層の端子ホルダ２１には掛止片２８を設けなくとも済む。
【実施例２】
【００３０】
図２３は実施例２の端子ホルダ５１を上方から見た斜視図、図２４は下方から見た斜視図、図２５は縦断面図である。実施例１と同様に、端子ホルダ５１は上下方向に例えば４個が積層可能とされている。端子ホルダ５１の上部には、長手方向にそれぞれ接続端子１１を個々に収容する例えば５個の端子収容部５２が並列して設けられ、端子収容部５２の前部には接続端子１１の接続部１２をほぼ収容する角枠状の枠体部５３が設けられている。【００３１】
端子ホルダ５１の後方は上部が開放されており、端子収容部５２同士を区画し、接続端子１１同士の接触を防止する仕切壁５４、相手側接続端子を受け入れる開口部５５、接続端子１１の孔部１８に挿入する係止ランス５６が設けられていることは実施例１の端子ホルダ２１とほぼ同様である。【００３２】
また、仕切壁５４間を覆うように、後述する連結用突部と連結するために被連結部５７が形成されている。更に、仕切壁５４には枠体部５３との境界部に切込部５８が設けられ、端子ホルダ５１の底部下面に、端子収容部５２と直交する横手方向に条片状の突起から成る掛止片５９が下方に向けて形成されている。この掛止片５９は下層に位置する端子ホルダ５１の切込部５８内に入り込み、複数の接続端子１１の被掛止部１７を共通して掛止することは実施例１と同様である。また、掛止片５９の後方には、各端子収容部５２内に入り込み、接続端子１１と同数の補強用のリブ６０が設けられ、各リブ６０ごとに連結用突部６１が設けられている。【００３３】
端子ホルダ５１に接続端子１１を取り付けるには、図２６に示すように接続端子１１を端子ホルダ５１の端子収容部５２に後方から挿入する。接続端子１１の接続部１２を枠体部５３内に挿入することにより、接続端子１１が端子ホルダ５１に固定されることは実施例１と同様である。【００３４】
このようにして、図２６に示すように端子ホルダ５１の各端子収容部５２に接続端子１１をそれぞれ装着した後に、図２７に示すように端子ホルダ５１の連結用突部６１を下層の端子ホルダ５１の被連結部５７に連結することにより、複数の端子ホルダ５１を上下方向に連結する。【００３５】
このように連結した複数の端子ホルダ５１の連結体を、図２８に示すようにハウジング７１の底部からハウジング７１内に押し込むと、端子ホルダ５１の前部はハウジング７１の前壁に、後部はハウジング７１の辺部７６に係止して前後の移動が防止され所定の位置に収容される。その後に、ハウジング７１にその前方から底部カバー９１を摺動して取り付け、底部カバー９１がハウジング７１から外れないように錠止し、電気コネクタが完成する。【００３６】
なお、実施例２のハウジング７１、底部カバー９１は詳細な図示を省略したが、実施例１のハウジング３１、底部カバー４１とは収納する端子ホルダの大きさ等が異なるため、形状は異なるが機能は殆ど同じである。なお、ハウジング７１の天井部の内側には、端子ホルダ５１に設けられた掛止片５９、リブ６０、連結用突部６１と同形状の掛止片７９、リブ８０、連結用突部８１が設けられている。
【実施例３】
【００３７】
図２９は実施例３の端子ホルダ１０１の下方から見た斜視図、図３０は平面図、図３１は正面図であり、図３２は図３０のＥ−Ｅ線に沿った縦断面図であり、本実施例３では例えば７個の端子ホルダ１０１が上下に積層して用いられる。１個の端子ホルダ１０１には、例えば１２個の接続端子１１が装着可能であり、その上部には長手方向にそれぞれ接続端子１１を収容する端子収容部１０２が並列して設けられ、端子収容部１０２の前部には、接続端子１１の接続部１２を保持するための枠体部１０３が設けられている。【００３８】
また、端子ホルダ１０１の後部の上面は開放面とされ、その両側には側板１０４が設けられ、側板１０４間の開放面上には、長手方向に沿って１２個の接続端子１１をそれぞれ区画するための１１個の仕切壁１０５が設けられている。更に、端子ホルダ１０１の底面には下方に向けて１個の掛止片１０６が横方向に形成されており、掛止片１０６に対して端子収容部１０２ごとに補強用のリブ１０７が設けられている。また端子ホルダ１０１の上部の枠体部１０３と仕切壁１０５の間に、上層の端子ホルダ１０１の掛止片１０６を受け入れる切込部１０８が設けられている。【００３９】
端子ホルダ１０１の両側には、上下方向を向く例えば６個ずつの係合端部１０９がそれぞれ形成されている。係合端部１０９はそれぞれ中央部分１０９ａが端子ホルダ１０１の側板１０４に一体的に接続され、上端部１０９ｂ、下端部１０９ｃは舌片状とされ、それぞれ切り取り可能とされている。【００４０】
また、各端子収容孔１０２の底部に係止ランス１１０が設けられていることは、実施例１、２と同様である。【００４１】
図３３はハウジングと底部カバーの斜視図、図３４はハウジング１１１を後方から見た斜視図である。ハウジング１１１は上壁１１２、前壁１１３、両側壁１１４が一体に構成されている。ハウジング１１１の前壁１１３には、端子ホルダ１０１の各端子収容孔１０２に連通し、相手側接続端子が挿通される上下７段左右１２列の開口部１１５が形成されている。また、ハウジング１１１の上壁１１２の上部には、実施例１と同様に相手側コネクタのハウジングと錠止するための錠止レバー１１６が設けられ、錠止レバー１１６には錠止突起１１７が形成され、錠止レバー１１６は押圧部１１８により操作できるようになっている。【００４２】
ハウジング１１１の下部両側には凹部１１９が設けられ、この凹部１１９の一部には凹みから成る被係止部１２０が設けられている。また、ハウジング１１１の上壁１１２の内側には、端子ホルダ１０１の底面の掛止片１０６に相当する掛止片１２１、及びリブ１２２が設けられている。また、両側壁１１４の内側には、端子ホルダ１０１の係合端部１０９が嵌合する複数本の嵌合溝１２３が上下方向に設けられている。【００４３】
底部カバー１３１には、ハウジング１１１の凹部１１９に摺動する摺動部１３２が設けられ、この摺動部１３２には被係止部１２０に爪部１３３を介して弾発的に係止する係止レバー１３４が設けられている。また、ハウジング１１１の底部の隅角部には、底部カバー１３１を固定するための凹部１２４が設けられ、底部カバー１３１にはこれらの凹部１２４に嵌合する突起１３５が設けられている。更に、底部カバー１３１の上面には、最下層の端子ホルダ１０１の掛止片１０６が入り込む溝部１３６が設けられている。【００４４】
組立に際しては、それぞれの端子ホルダ１０１の後方から、図３５に示す接続端子１１を仕切壁１０５を案内として先端の接続部１２が枠体部１０３に十分に入るまで挿入する。この端子ホルダ１０１の接続端子１１の取り付けは実施例１、２と同様である。【００４５】
この状態において、図３６に示すように端子ホルダ１０１の開放面を上方から閉塞するように、他の端子ホルダ１０１を順次に上方から重ねる。この積層に際しては、後述するように所定の端子ホルダ１０１同士でなければ上下に積層することができないようになっている。つまり、係合端部１０９は片側の側板１０４に６個ずつ等間隔に設けられ、両側で１２個あり、係合端部１０９の上端部１０９ｂ、下端部１０９ｃの一方又は双方を切り取ることにより、片側の上部又は下部だけでも６４通りのパターンが得られる。【００４６】
即ち、図３７に示すように、上下に位置する端子ホルダ１０１間の係合端部１０９同士が嵌まりこむように、これらの上端部１０９ｂ、下端部１０９ｃが切り取られている。これにより、例えば上方の端子ホルダ１０１の残置した下端部１０９ｃが、下方の対応する端子ホルダ１０１の切り取られた上端部１０９ｂの部分に嵌入することにより、択一的に隙間なく積層することができる。なお、図３７において、端子ホルダ１０１から引き出された電線１５の図示は省略している。【００４７】
この係合端部１０９により、嵌まり合う上下の端子ホルダ１０１においては、係合端部１０９の切り取り部が合致する適正な端子ホルダ１０１同士でなければ積層できないので、積層順の誤りによる組立てミスが解消される。【００４８】
この端子ホルダ１０１の積層に際して、端子ホルダ１０１同士が軽い力で係合できるようにしておくと、積層後に積層が崩れることがなくなる。また、実施例２のように連結のための連結用突部、被連結部を設けることもできる。【００４９】
また、図３８に示すように、上方の端子ホルダ１０１の掛止片１０６は下方の端子ホルダ１０１の切込部１０８に嵌入され、実施例１、２と同様に端子ホルダ１０１同士の上下の積層により、接続端子１１の端子ホルダ１０１に対する前抜け、後抜けが防止されることになる。【００５０】
このようにして、接続端子１１を組込んだ端子ホルダ１０１の積層体である連結体を、図３９に示すようにハウジング１１１内に下方から挿入する。端子ホルダ１０１に設けた各係合端部１０９が、ハウジング１１１の内壁に設けた嵌合溝１２３に嵌合するので、端子ホルダ１０１のハウジング１１１に対する前後方向の移動が規制される。なお、最上層の端子ホルダ１０１については、ハウジング１１１の上壁１１２の掛止片１２１が切込部１０８に挿入される。【００５１】
その後に、図４０に示すように底部カバー１３１をハウジング１１１に嵌合して、凹部１１９、係止レバー１３４、凹部１２４、突起１３５を用いて、図４１に示すように固定する。図４２はこの場合の電気コネクタの断面図を示している。なお、このハウジング１１１と底部カバー１３１の関係は、実施例１とほぼ同様である。【００５２】
なお上述の説明では、積層体である連結体をハウジング１１１に挿入するようにしたが、実施例１のようにハウジング１１１に対して、接続端子１１を装着した端子ホルダ１０１を１個ずつ装入することにより組立てることもできる。【００５３】
この状態において、小型の接続端子１１は端子ホルダ１０１、ハウジング１１１と底部カバー１３１により、前後方向及び上下方向への移動が強固に防止されることは実施例１、２と同様である。【００５４】
なお、係合端部１０９の数は実施例よりも少なくしても十分に適用可能であり、端子ホルダ１０１の両側でなく片側のみに設けてもよい。また、係合端部１０９の一部を他の目的、例えばコネクタの種別を識別するために用いることもできる。【００５５】
なお、上述の各実施例においては、雌型の接続端子について説明したが、雄型の接続端子であっても同様に構成することができる。
【符号の説明】
【００５６】
１１  接続端子
１２  接続部
１５  電線
２１、５１、１０１  端子ホルダ
２２、５２、１０２  端子収容部
２４、５４、１０５  仕切壁
２６、５６、１１０  係止ランス
２７、５８、１０８  切込部
２８、３３、５９、７９、１０６、１２１  掛止片
３１、７１、１１１  ハウジング
４１、９１、１３１  底部カバー
５７  被連結部
６１  連結用突部
１０９  係合端部
【図１】
2009148027.tif 000003
【図２】
2009148027.tif 000004
【図３】
2009148027.tif 000005
【図４】
2009148027.tif 000006
【図５】
2009148027.tif 000007
【図６】
2009148027.tif 000008
【図７】
2009148027.tif 000009
【図８】
2009148027.tif 000010
【図９】
2009148027.tif 000011
【図１０】
2009148027.tif 000012
【図１１】
2009148027.tif 000013
【図１２】
2009148027.tif 000014
【図１３】
2009148027.tif 000015
【図１４】
2009148027.tif 000016
【図１５】
2009148027.tif 000017
【図１６】
2009148027.tif 000018
【図１７】
2009148027.tif 000019
【図１８】
2009148027.tif 000020
【図１９】
2009148027.tif 000021
【図２０】
2009148027.tif 000022
【図２１】
2009148027.tif 000023
【図２２】
2009148027.tif 000024
【図２３】
2009148027.tif 000025
【図２４】
2009148027.tif 000026
【図２５】
2009148027.tif 000027
【図２６】
2009148027.tif 000028
【図２７】
2009148027.tif 000029
【図２８】
2009148027.tif 000030
【図２９】
2009148027.tif 000031
【図３０】
2009148027.tif 000032
【図３１】
2009148027.tif 000033
【図３２】
2009148027.tif 000034
【図３３】
2009148027.tif 000035
【図３４】
2009148027.tif 000036
【図３５】
2009148027.tif 000037
【図３６】
2009148027.tif 000038
【図３７】
2009148027.tif 000039
【図３８】
2009148027.tif 000040
【図３９】
2009148027.tif 000041
【図４０】
2009148027.tif 000042
【図４１】
2009148027.tif 000043
【図４２】
2009148027.tif 000044
【図４３】
2009148027.tif 000045
【国際調査報告】
2009148027.tif 000046
2009148027.tif 000047
2009148027.tif 000048
2009148027.tif 000049
2009148027.tif 000050
2009148027.tif 000051
2009148027.tif 000052